(57)【特許請求の範囲】
【請求項１】
端面からの入射光を正面側に出射する導光板と、
前記端面に向けて光を照射する光源と、
前記導光板の背面側に設けられた背面シャーシと、
該背面シャーシの背面側に設けられると共に、前記端面に向けて延設された箇所で前記光源を保持し、前記光源からの熱を放熱させる放熱部材とを備え、
該放熱部材は、前記背面シャーシの位置を決めるシャーシ保持部を有し、
前記背面シャーシの端縁が該背面シャーシの背面側に屈曲した屈曲部を有し、該屈曲部の内側と前記シャーシ保持部とが係合していることを特徴とするバックライト装置。
【請求項２】
請求項１に記載のバックライト装置であって、
前記背面シャーシは、該背面シャーシの背面に突出部を有し、該突出部で前記放熱部材の背面側から挿入された固定部材を用いて前記放熱部材に固定されていることを特徴とするバックライト装置。
【請求項３】
請求項１又は２に記載のバックライト装置であって、
前記放熱部材は、前記背面シャーシに接触するシャーシ当接部と、該シャーシ当接部の背面側に放熱フィンとを有することを特徴とするバックライト装置。
【請求項４】
請求項１から３のいずれか１項に記載のバックライト装置を搭載したことを特徴とする液晶表示装置。
【発明の詳細な説明】
【技術分野】
【０００１】
本発明は、バックライト装置及び液晶表示装置に関し、詳細には、バックライト光源からの熱を放熱するための放熱構造を備えたバックライト装置及び液晶表示装置に関する。
【背景技術】
【０００２】
近年、薄型テレビ等の液晶表示装置の大画面化が進んでおり、例えば、６０型、７０型、８０型という画面サイズを有した製品が販売されている。このような液晶表示装置では、従来の蛍光管に代わり、ＬＥＤ（Light Emitting Diode）をバックライト光源としたものが主流になっている。また、液晶表示装置の用途は、テレビに限らず、ＰＣ（パーソナルコンピュータ）のモニタや、デジタルサイネージ（電子看板）など、多様化しており、これに伴い、ＬＥＤについてもより高輝度（高出力）のものが要求されている。
【０００３】
上記の液晶表示装置においては、ＬＥＤの高輝度化に伴って発熱量も増加するため、ＬＥＤの放熱対策を施す必要がある。例えば、特許文献１には、熱源となるＬＥＤを配置したＬＥＤ基板を、ヒートシンク（ヒートスプレッダともいう）と呼ばれるアルミニウム製の放熱部材に貼り付け、ＬＥＤの熱を放熱させる構造が記載されている。また、特許文献２には、放熱部材を、導光板の背面側に設けられた背面シャーシ（バックライトシャーシともいう）よりも後方に設けた構造が記載されている。
【先行技術文献】
【特許文献】
【０００４】
【特許文献１】特開２００９−２１７２０６号公報
【特許文献２】特開２０１１−２５３７６９号公報
【発明の概要】
【発明が解決しようとする課題】
【０００５】
しかしながら、特許文献１では、背面シャーシの固定については示されていない。一方、特許文献２では、背面シャーシをガイドローラで放熱部材に接続することが示されているが、ガイドローラを用いるまでは、背面シャーシの位置が決まらず、放熱部材を背面シャーシに押え付けておく必要がある。このため、液晶表示装置を構成するバックライト装置を製造し難いという問題がある。
【０００６】
本発明は、上述の如き実情に鑑みてなされたもので、光源の放熱対策を施しつつ、製造の容易化を図るバックライト装置及び液晶表示装置を提供することを目的とする。
【課題を解決するための手段】
【０００７】
上記課題を解決するために、本発明の第１の技術手段は、端面からの入射光を正面側に出射する導光板と、前記端面に向けて光を照射する光源と、前記導光板の背面側に設けられた背面シャーシと、該背面シャーシの背面側に設けられると共に、前記端面に向けて延設された箇所で前記光源を保持し、前記光源からの熱を放熱させる放熱部材とを備え、該放熱部材は、前記背面シャーシの位置を決めるシャーシ保持部を有することを特徴とするバックライト装置である。
そして、前記背面シャーシの端縁が該背面シャーシの背面側に屈曲した屈曲部を有し、該屈曲部の内側と前記シャーシ保持部とが係合していることを特徴とするものである。
【０００９】
第２の技術手段は、第１の技術手段において、前記背面シャーシは、該背面シャーシの背面に突出部を有し、該突出部で前記放熱部材の背面側から挿入された固定部材を用いて前記放熱部材に固定されていることを特徴とするものである。
【００１０】
第３の技術手段は、第１又は２の技術手段において、前記放熱部材は、前記背面シャーシに接触するシャーシ当接部と、該シャーシ当接部の背面側に放熱フィンとを有することを特徴とするものである。
【００１１】
第４の技術手段は、第１から３のいずれか１の技術手段のバックライト装置を搭載した液晶表示装置である。
【発明の効果】
【００１２】
本発明によれば、光源を保持した放熱部材が、背面シャーシを挟んで導光板の反対側に設けられており、光源からの熱を効率良く放熱できる。そして、背面シャーシは、放熱部材のシャーシ保持部で速やかに位置決めされ、位置ずれを防止できることから、バックライト装置の製造が容易になる。
【図面の簡単な説明】
【００１３】
【図１】本発明によるバックライト装置を含む液晶表示装置の外観の一例を示す図である。
【図２】図１に示す液晶表示装置から背面キャビネットを取り外した状態を示す図である。
【図３】図１に示す液晶表示装置の内部構造を分解した状態の一例を示す図である。
【図４】図１に示す液晶表示装置から背面キャビネットを取り外した状態を斜め後ろから見たときの図である。
【図５】図１に示す液晶表示装置の上端部分の断面を示す図である。
【図６】図１に示す液晶表示装置の上端部分の断面を示す図である。
【図７】図１に示す液晶表示装置の下端部分の断面を示す図である。
【発明を実施するための形態】
【００１４】
以下、添付図面を参照しながら、本発明のバックライト装置及び液晶表示装置に係る好適な実施の形態について説明する。
図１は、本発明によるバックライト装置を含む液晶表示装置の外観の一例を示す図である。図１（Ａ）は液晶表示装置を正面から見た状態を示し、図１（Ｂ）は液晶表示装置を背面から見た状態を示し、図１（Ｃ）は液晶表示装置を左側面から見た状態を示す。図中、１は液晶表示装置、２ａ〜２ｄは前面フレーム、３は液晶パネル、４はスタンド、５は背面キャビネット、６は電源コード引出部、７は操作ボタン部を示す。
【００１５】
図１において、液晶パネル３は、２枚のガラス基板間に液晶を挟持した構成を有し、液晶を構成する液晶分子の配向状態が制御されることで、図３等に示す導光板１２から出射された光の透過／遮断を制御する光シャッタとしての機能を有する。また、前面フレーム２ａ〜２ｄは、液晶パネル３の周囲に設けられ、前面キャビネットの金型製作費用を抑えるために、前面キャビネットを上下左右に４分割したフレーム構造とされている。前面フレーム２ａ〜２ｄは、デザイン性を高めるために、樹脂ではなく、例えば、アルミニウム合金などの金属製とされている。
【００１６】
樹脂製の背面キャビネット５は、後述するバックライト装置の背面側を覆っており、その下側には、液晶表示装置１を支持するスタンド４が取り付けられている。背面キャビネット５には、液晶表示装置１の内部から電源コードを引き出すための電源コード引出部６が形成される。また、液晶表示装置１の左側面には、液晶表示装置１を操作するための操作ボタン部７が設けられている。
【００１７】
図２は、図１に示す液晶表示装置から背面キャビネットを取り外した状態を示す図である。背面キャビネット５を取り外した状態では、ヒートスプレッダ８ａ，８ｂ、バックライトシャーシ９、これらヒートスプレッダ８ａ，８ｂやバックライトシャーシ９の背面側に固定されるセンターシール及び補助金具枠組品１９ａ等が見えている。
ヒートスプレッダ８ａ，８ｂは、ＬＥＤ光源の熱を放熱するための放熱部材として機能し、例えば、放熱性能の高いアルミニウム合金で形成される。ヒートスプレッダ８ａ，８ｂは、液晶表示装置１の左右方向に延びてバックライトシャーシ９の背面上下端に配置されている。バックライトシャーシ９は、例えば、鉄などの金属で形成され、後述のように、ヒートスプレッダ８ａ，８ｂに位置決めされる。なお、バックライトシャーシ９が本発明の背面シャーシに相当する。
【００１８】
ヒートスプレッダ８ａ，８ｂの左右方向の長さは、液晶パネル３の水平方向長さに略等しく設定されている。一方、ヒートスプレッダ８ａ，８ｂの上下方向の長さは、例えば、画面サイズが７０インチ、ヒートスプレッダ８ａ，８ｂの材質をアルミニウムとした場合で約１５０ｍｍに設定されている。この長さは、画面サイズに応じたＬＥＤの発熱量に対して、放熱に必要な面積を計算することで適宜決めることができる。後述のように、ヒートスプレッダ８ａ，８ｂは、バックライトシャーシ９の背面側に配置されるため、放熱面積を大きくすることができる。このため、より高い放熱効果を得ることができる。
【００１９】
図３は、図１に示す液晶表示装置の内部構造を分解した状態の一例を示す図である。図１で説明した前面フレーム２ａ〜２ｄは、四隅に配置されたフレーム締結金具２ｅ１〜２ｅ４により１つのフレーム部材として組み立てられ、液晶パネル３の周囲に固定される。
液晶パネル３の背面側には、光学シート１０、導光板１２、反射シート１３、及びバックライトシャーシ９がこの順番で設けられている。
【００２０】
光学シート１０は、例えば、２枚のマイクロレンズシートと、１枚の輝度向上シートとで構成され、導光板１２から出射された光の均一化や、正面方向の輝度を向上させるなどの機能を有する。導光板１２は、アクリルなどの透明な樹脂で形成され、ＬＥＤ光源からの光を正面側に位置した液晶パネル３に出射する。反射シート１３は、ＬＥＤ光源から出射した光のうち、導光板１２に入射しない光を反射して導光板１２に入射させるなどの機能を有する。
【００２１】
バックライトシャーシ９は、反射シート１３の背面側に設けられ、導光板１２及び反射シート１３を保持し、これらの取り付け台として機能する。ヒートスプレッダ８ａ，８ｂは、バックライトシャーシ９の背面側に設けられている。
ヒートスプレッダ８ａは、導光板１２の上端に形成された入射面に対向する位置にて、ＬＥＤ光源を配置したバー状のＬＥＤ基板１４ａを保持しており、ＬＥＤ基板１４ａからの熱を放熱させる機能を有する。ヒートスプレッダ８ｂは、導光板１２の下端に形成された入射面に対向する位置にて、バー状のＬＥＤ基板１４ｂを保持し、ＬＥＤ基板１４ｂからの熱を放熱させる機能を有している。
【００２２】
ヒートスプレッダ８ａ，８ｂとＬＥＤ基板１４ａ，１４ｂとは両面テープ等により固定される。なお、導光板１２、反射シート１３、ＬＥＤ基板１４ａ，１４ｂ、バックライトシャーシ９、及びヒートスプレッダ８ａ，８ｂが本発明のバックライト装置に相当する。
ここで、ＬＥＤ基板１４ａ，１４ｂからの熱は、ヒートスプレッダ８ａ，８ｂにより放熱されるが、本発明は、ＬＥＤ基板１４ａ，１４ｂで生じた熱をバックライト装置外に逃がし易くするために、ヒートスプレッダ８ａ，８ｂをバックライトシャーシ９よりも後方に配置することに着目したものである。
【００２３】
なお、液晶表示装置１は、プラスチック等で形成された中間シャーシ１１ａ〜１１ｆを備えている。中間シャーシ１１ａ〜１１ｆは、光学シート１０の周縁部分と導光板１２の周縁部分との間に配置される。本例では６分割の中間シャーシを示しているが、例えば４分割としてもよく、特に分割数を限定するものではない。
【００２４】
図４は、図１に示す液晶表示装置から背面キャビネットを取り外した状態を斜め後ろから見たときの図である。図５は、図４のＸ部（液晶表示装置１の上端部分）を側方から見たときの断面図であり、図６は、図５のＸ１部の拡大図である。また、図７（Ａ）は、図４のＹ部（液晶表示装置１の下端部分）を側方から見たときの断面図であり、図７（Ｂ）は、図７（Ａ）のＹ１部の拡大図である。
【００２５】
まず、図５に示すように、ヒートスプレッダ８ａは、その一端側が液晶パネル３側に向けて折れ曲がっており、この折れ曲がり部分の内面にＬＥＤ基板１４ａが設けられている。
ここで、ヒートスプレッダ８ａとバックライトシャーシ９とは、部分的に接触し、ヒートスプレッダ８ａからバックライトシャーシ９に伝わる熱を減らしている。
【００２６】
具体的には、ヒートスプレッダ８ａの他端側は、ＬＥＤ基板１４ａの保持位置から下方に向けて延びており、ヒートスプレッダ８ａの背面には、背面キャビネット５内の外気に接触可能な放熱フィン２８ａ〜２８ｃが形成されている。そのうち、放熱フィン２８ａは、ＬＥＤ基板１４ａに最も近接した位置に配置され、液晶パネル３の左右方向に延びた、例えば、３枚の突起で構成されている。放熱フィン２８ｂは、放熱フィン２８ａの下方に配置され、この放熱フィン２８ａと同形状であるが、例えば、５枚の突起で構成されている。放熱フィン２８ｃは、放熱フィン２８ｂの下方に配置されており、放熱フィン２８ａ，２８ｂと同形状であるが、例えば、１４枚の突起で構成されている。
【００２７】
なお、放熱フィン２８ａ〜２８ｃを有したヒートスプレッダ８ａの背面は、その表面部分に、例えば、黒アルマイト処理を施すことが望ましい。酸化アルミニウムの黒色の皮膜をヒートスプレッダ８ａの背面に生成することにより、輻射率が上がり、放熱効果をより高めることができる。
【００２８】
一方、ヒートスプレッダ８ａの正面には、ＬＥＤ基板１４ａに沿って延び、ＬＥＤ基板１４ａから遠ざかるにしたがって接触面積を広くしたシャーシ当接部３８ａ〜３８ｃが形成されている。シャーシ当接部３８ａは、放熱フィン２８ａの反対側に位置し、液晶パネル３側に向けて突出しており、バックライトシャーシ９の背面に接触している。シャーシ当接部３８ｂは、放熱フィン２８ｂの反対側に位置しており、液晶パネル３側に向けて突出している。シャーシ当接部３８ｂは、シャーシ当接部３８ａと同様に、バックライトシャーシ９の背面に接触するが、シャーシ当接部３８ａとの接触面積よりも広範囲でバックライトシャーシ９の背面に接触している。
【００２９】
シャーシ当接部３８ｃは、放熱フィン２８ｃの反対側に位置し、液晶パネル３側に向けて突出しており、シャーシ当接部３８ａ，３８ｂと同様に、バックライトシャーシ９の背面に接触する。しかし、シャーシ当接部３８ｃは、シャーシ当接部３８ａ，３８ｂとの接触面積よりも広範囲でバックライトシャーシ９の背面に接触している。
このように、放熱フィン２８ａ〜２８ｃは、シャーシ当接部３８ａ〜３８ｃの背面側に形成され、バックライト装置の厚みを薄くできる。シャーシ当接部３８ａ〜３８ｃは、ＬＥＤ基板１４ａからの距離が大きくなるに連れてバックライトシャーシ９との接触面積が広くされる。このため、ヒートスプレッダ８ａに接触するバックライトシャーシ９では、温度の高い箇所が局所的に形成されず、温度の低い箇所が広範囲に亘って形成され、高低の温度ムラが解消される。また、光学シート１０への影響も小さくなる。
【００３０】
また、シャーシ当接部３８ａ〜３８ｃを有したヒートスプレッダ８ａの正面では、バックライトシャーシ９を位置決め可能に構成されている。詳しくは、図６に示すように、ヒートスプレッダ８ａは、ＬＥＤ基板１４ａの保持位置の近傍に、液晶パネル３側に突出したシャーシ保持部４８ａ，４８ｂを有している。シャーシ保持部４８ａ，４８ｂは、例えば、バックライトシャーシ９の肉厚よりも若干広い間隔で設けられ、液晶パネル３の左右方向にそれぞれ延びている。
【００３１】
これに対し、バックライトシャーシ９の上端には、屈曲部９ａが液晶パネル３から離間する方向に突出し、液晶パネル３の左右方向に沿って形成されている。この屈曲部９ａの先端部分は、後述のように、液晶表示装置１を組み立てる際、シャーシ保持部４８ａ，４８ｂと係合させる。これにより、バックライトシャーシ９はヒートスプレッダ８ａに支持される。
【００３２】
次に、液晶表示装置１の下部側についても同様の構成を有しており、図７（Ａ）に示すように、ヒートスプレッダ８ｂとバックライトシャーシ９とは部分的に接触し、ヒートスプレッダ８ｂからバックライトシャーシ９に伝わる熱を減らしている。ヒートスプレッダ８ｂは、その一端側が液晶パネル３側に向けて折れ曲がり、この折れ曲がり部分の内面にＬＥＤ基板１４ｂが設けられている。なお、図７において、１７は基板シールド、１８はソース基板、２０はソース基板ホルダを示す。
【００３３】
ヒートスプレッダ８ｂの他端側は、ＬＥＤ基板１４ｂの保持位置から上方に向けて延び、ヒートスプレッダ８ｂの背面には、放熱フィン２８ｄ〜２８ｆが形成されている。放熱フィン２８ｄは、ＬＥＤ基板１４ｂに最も近接した位置に配置されており、液晶パネル３の左右方向に延びた、例えば、３枚の突起で構成されている。放熱フィン２８ｅは、放熱フィン２８ｄの上方に配置され、この放熱フィン２８ｄと同形状であるが、例えば、５枚の突起で構成されている。放熱フィン２８ｆは、放熱フィン２８ｅの上方に配置されており、放熱フィン２８ｄ，２８ｅと同形状であるが、例えば、１４枚の突起で構成されている。なお、放熱フィン２８ｄ〜２８ｆを有したヒートスプレッダ８ｂの背面も、その表面部分に、例えば、黒アルマイト処理を施すことが望ましい。
【００３４】
一方、ヒートスプレッダ８ｂの正面には、ＬＥＤ基板１４ｂに沿って延び、ＬＥＤ基板１４ｂから遠ざかるにしたがって接触面積を広くしたシャーシ当接部３８ｄ〜３８ｆが形成されている。シャーシ当接部３８ｄは、放熱フィン２８ｄの反対側に位置しており、液晶パネル３側に向けて突出し、バックライトシャーシ９の背面に接触している。シャーシ当接部３８ｅは、放熱フィン２８ｅの反対側に位置し、液晶パネル３側に向けて突出している。シャーシ当接部３８ｅは、シャーシ当接部３８ｄと同様に、バックライトシャーシ９の背面に接触するものの、シャーシ当接部３８ｄとの接触面積よりも広範囲でバックライトシャーシ９の背面に接触している。
【００３５】
シャーシ当接部３８ｆは、放熱フィン２８ｆの反対側に位置し、正面側に向けて突出しており、シャーシ当接部３８ｄ，３８ｅと同様に、バックライトシャーシ９の背面に接触するが、シャーシ当接部３８ｆは、シャーシ当接部３８ｄ，３８ｅとの接触面積よりも広範囲でバックライトシャーシ９の背面に接触している。
このように、放熱フィン２８ｄ〜２８ｆは、シャーシ当接部３８ｄ〜３８ｆの背面側に形成され、バックライト装置の厚みを薄くできる。シャーシ当接部３８ｄ〜３８ｆは、ＬＥＤ基板１４ｂからの距離が大きくなるに連れてバックライトシャーシ９との接触面積が広くされる。このため、ヒートスプレッダ８ｂに接触するバックライトシャーシ９では、温度の高い箇所が局所的に形成されず、温度の低い箇所が広範囲に亘って形成され、高低の温度ムラが解消される。また、光学シート１０への影響も小さくなる。
【００３６】
また、シャーシ当接部３８ｄ〜３８ｆを有したヒートスプレッダ８ｂの正面では、バックライトシャーシ９を位置決め可能に構成されている。図７（Ｂ）に示すように、ヒートスプレッダ８ｂは、ＬＥＤ基板１４ｂの保持位置の近傍に、液晶パネル３側に突出して左右方向に延びたシャーシ保持部４８ｃを有している。
これに対し、バックライトシャーシ９の下端には、屈曲部９ｄが形成される。屈曲部９ｄは、液晶パネル３から離間する方向に突出し、液晶パネル３の左右方向に沿って形成されている。
【００３７】
液晶表示装置１を組み立てる際、バックライトシャーシ９の屈曲部９ａの位置を図６に示したシャーシ保持部４８ａ，４８ｂに、屈曲部９ｄの位置を図７（Ｂ）に示したシャーシ保持部４８ｃにそれぞれ合わせる。屈曲部９ａの内側をシャーシ保持部４８ｂに係合させると共に、屈曲部９ｄの内側をシャーシ保持部４８ｃに係合させると、バックライトシャーシ９は、ヒートスプレッダ８ａ，８ｂのシャーシ保持部４８ａ〜４８ｃやシャーシ当接部３８ａ〜３８ｆに支持され、ヒートスプレッダ８ａ，８ｂに対するバックライトシャーシ９の位置が決まる。
【００３８】
このように、ＬＥＤ基板１４ａ，１４ｂを保持したヒートスプレッダ８ａ，８ｂが、バックライトシャーシ９を挟んで導光板１２の反対側に設けられており、ＬＥＤ基板１４ａ，１４ｂからの熱を背面キャビネット５内の大気で効率良く放熱できる。そして、バックライトシャーシ９は、シャーシ保持部４８ａ，４８ｂ，４８ｃ等で速やかに位置決めされ、位置ずれを防止できることから、バックライト装置を含む液晶表示装置１の製造が容易になる。
【００３９】
バックライトシャーシ９は、図５に示すように、液晶パネル３から離間する方向に突出した突出部９ｂを有すると共に、図７（Ａ）に示すような突出部９ｃを有している。
上記のように、ヒートスプレッダ８ａに対するバックライトシャーシ９の位置が決まると、図５に示した、放熱フィン２８ｂと放熱フィン２８ｃとの間に位置する固定部材、例えば、ネジ１５ｂの締結位置にて、突出部９ｂがヒートスプレッダ８ａの正面に接触する。ネジ１５ｂをヒートスプレッダ８ａの背面側から挿入し、ヒートスプレッダ８ａとバックライトシャーシ９とを締結すると、バックライトシャーシ９はヒートスプレッダ８ａにネジ固定される。
【００４０】
一方、ヒートスプレッダ８ｂに対するバックライトシャーシ９の位置が決まると、図７（Ａ）に示した、放熱フィン２８ｆよりも上方に位置するネジ１５ｃの締結位置にて、突出部９ｃがヒートスプレッダ８ｂの正面に接触する。ネジ１５ｃをヒートスプレッダ８ｂの背面側から挿入し、ヒートスプレッダ８ｂとバックライトシャーシ９とを締結すると、バックライトシャーシ９はヒートスプレッダ８ｂにネジ固定される。
【００４１】
このように、シャーシ保持部４８ａ〜４８ｃで位置決めされたバックライトシャーシ９は、ネジ１５ｂ，１５ｃを用いてヒートスプレッダ８ａ，８ｂに確実に固定することができる。
固定されたバックライトシャーシ９に、反射シート１３、導光板１２の順に取り付け、次いで、導光板１２の周縁部分と光学シート１０の周縁部分との間に、図３で説明した中間シャーシ１１ａ〜１１ｆを挿入すると、導光板１２と光学シート１０との間には、約３ｍｍ程度の厚みを有した空気層１６が形成される（非密着構造）。なお、光学シート１０は、その周縁部分に沿って形成された複数の孔（図示省略）と、中間シャーシ１１ａ〜１１ｆに形成されたリブ（図示省略）とが嵌め合わされて固定される。このように、空気層１６がヒートスプレッダ８ａ，８ｂに導かれた熱を遮断する断熱層として機能するので、この熱を光学シート１０に伝わり難くすることが可能となる。
【００４２】
続いて、光学シート１０に液晶パネル３を重ね、液晶パネル３の周縁部分を前面フレーム２ａ〜２ｄで押さえる。なお、図６に示すように、前面フレーム２ａと液晶パネル３との間、液晶パネル３と樹脂製フレーム１１ａとの間、光学シート１０と樹脂製フレーム１１ａとの間、樹脂製フレーム１１ａと導光板１２との間には、それぞれウレタン等のスペーサ部材Ｓ１，Ｓ２，Ｓ３，Ｓ４が配置されている。また、図７（Ｂ）に示すように、前面フレーム２ｃと液晶パネル３との間、液晶パネル３と樹脂製フレーム１１ｅとの間、光学シート１０と樹脂製フレーム１１ｅとの間、樹脂製フレーム１１ｅと導光板１２との間には、それぞれウレタン等のスペーサ部材Ｓ５，Ｓ６，Ｓ７，Ｓ８が配置されている。
【００４３】
図５に示すように、ヒートスプレッダ８ａの一端側は、上方に向けて鍔状に延びており、この鍔状部分と前面フレーム２ａとで中間シャーシ１１ａの端部分を挟持可能である。これら前面フレーム２ａ、中間シャーシ１１ａ、及びヒートスプレッダ８ａは、ヒートスプレッダ８ａの背面側からネジ１５ａなどにより一体的に固定されている。また、図７（Ａ）に示すように、ヒートスプレッダ８ｂの一端側も、下方に向けて鍔状に延び、この鍔状部分と前面フレーム２ｃとで中間シャーシ１１ｅの端部分を挟持可能である。これら前面フレーム２ｃ、中間シャーシ１１ｅ、及びヒートスプレッダ８ｂもまた、背面側から挿入されたネジ１５ｄなどを用いて一体的に固定されている。
【００４４】
なお、図７（Ｂ）の基板シールド１７は切断位置の関係上、離間して見えているが、このヒートスプレッダ８ｂ側では、基板シールド１７も併せてネジ１５ｄで固定してもよい。また、ネジ１５ａ，１５ｄなどによる固定箇所については、例えば、液晶表示装置１の四隅が固定されるものとする。このように、ネジ固定を背面から奥行き方向に行うことで、筐体の強度を確保することができ、さらには、液晶表示装置１の正面から見てネジを隠すことができるため、デザイン性の観点からも望ましい。
【００４５】
また、上記のように、中間シャーシがヒートスプレッダ８ａ，８ｂと前面フレーム２ａ，２ｃとの間に挟まれるため、ＬＥＤ基板１４ａ，１４ｂからの熱が前面フレーム２ａ，２ｃに伝わり難くなる。さらに、中間シャーシによって、光学シート１０と導光板１２とを離間させた非密着構造とすることにより、導光板の水平及び垂直方向の長さを液晶パネルの水平及び垂直方向の長さよりも短くできるため、画面の額縁部分を狭くすることができる。
【００４６】
以上、実施例について説明したが、本発明のバックライト装置は、端面からの入射光を正面側に出射する導光板と、前記端面に向けて光を照射する光源と、前記導光板の背面側に設けられた背面シャーシと、該背面シャーシの背面側に設けられると共に、前記端面に延設された箇所で前記光源を保持し、前記光源からの熱を放熱させる放熱部材とを備え、該放熱部材は、前記背面シャーシの位置を決めるシャーシ保持部を有してもよい。このように、光源を保持した放熱部材が、背面シャーシを挟んで導光板の反対側に設けられており、光源からの熱を効率良く放熱できる。そして、背面シャーシは、放熱部材のシャーシ保持部で速やかに位置決めされ、位置ずれを防止できることから、バックライト装置の製造が容易になる。
【００４７】
また、前記背面シャーシの端縁が該背面シャーシの背面側に屈曲した屈曲部を有し、該屈曲部の内側と前記シャーシ保持部とが係合していてもよい。背面シャーシの屈曲部の内側とシャーシ保持部の突出部分とが係合しているため、背面シャーシの位置ずれを確実に防止できる。
また、前記背面シャーシは、該背面シャーシの背面に突出部を有し、該突出部で前記放熱部材の背面側から挿入された固定部材を用いて前記放熱部材に固定されていてもよい。シャーシ保持部で位置決めされた背面シャーシは、固定部材を用いて放熱部材に確実に固定することができる。
【００４８】
また、前記放熱部材は、前記背面シャーシに接触するシャーシ当接部と、該シャーシ当接部の背面側に放熱フィンとを有してもよい。これにより、バックライト装置の厚みを薄くできると共に、放熱部材に接触する背面シャーシでは、温度の高い箇所が局所的に形成されず、温度の低い箇所が広範囲に亘って形成され、高低の温度ムラが解消される。
また、上述したバックライト装置を搭載した液晶表示装置であってもよい。これにより、液晶表示装置の製造も容易になる。
【符号の説明】
【００４９】
１…液晶表示装置、２ａ〜２ｄ…前面フレーム、２ｅ１〜２ｅ４…フレーム締結金具、３…液晶パネル、４…スタンド、５…背面キャビネット、６…電源コード引出部、７…操作ボタン部、８ａ，８ｂ…ヒートスプレッダ、９…バックライトシャーシ、９ａ，９ｄ…屈曲部、９ｂ，９ｃ…突出部、１０…光学シート、１１ａ〜１１ｆ…中間シャーシ、１２…導光板、１３…反射シート、１４ａ，１４ｂ…ＬＥＤ基板、１５ａ〜１５ｄ…ネジ、１６…空気層、１７…基板シールド、１８…ソース基板、１９ａ…センターシール及び補助金具枠組品、２０…ソース基板ホルダ、２８ａ〜２８ｆ…放熱フィン、３８ａ〜３８ｆ…シャーシ当接部、４８ａ〜４８ｃ…シャーシ保持部。
【図１】
0005567642.tif 000002
【図２】
0005567642.tif 000003
【図３】
0005567642.tif 000004
【図４】
0005567642.tif 000005
【図５】
0005567642.tif 000006
【図６】
0005567642.tif 000007
【図７】
0005567642.tif 000008